(57)【要約】【課題】音声ガイド情報の提供に係るコードを供給可能で、しかもトレーディングカードとしての価値を損なわないカード状物を提供する。【解決手段】カード状物９は、カード状の本体１と、本体１の被着面１１に貼付されている貼付シート２とを備える。貼付シート２は、携帯端末で読み取られることにより当該携帯端末で音声ガイド情報を出力可能となるコード３が付記された第１の面２１と、被着面１１に接触する粘着剤層が積層されてなる第２の面２２とを有する。【選択図】図２
0003233619.tif 000002
【実用新案登録請求の範囲】
【請求項１】
カード状の本体と、
前記本体の被着面に貼付されている貼付シートと、を備え、
前記貼付シートが、携帯端末で読み取られることにより前記携帯端末で音声ガイド情報を出力可能となるコードが付記された第１の面と、前記被着面に接触する粘着剤層が積層されてなる第２の面とを有する、コード供給用カード状物。
【請求項２】
前記コードが二次元コードである、請求項１に記載のコード供給用カード状物。
【請求項３】
前記被着面に、前記粘着剤層が接触する接触領域と、前記粘着剤層が接触しない非接触領域とが設けられている、請求項１又は２に記載のコード供給用カード状物。
【請求項４】
前記被着面に描かれた視覚要素を覆うようにして前記貼付シートが貼付されている、請求項１〜３のいずれか１項に記載のコード供給用カード状物。
【考案の詳細な説明】
【技術分野】
【０００１】
本考案は、音声ガイド情報の提供に係るコードを供給するためのカード状物に関する。
【背景技術】
【０００２】
美術館などの各種展示場では、来客に対して展示物の紹介や説明を音声で行うガイド用の装置（以下「音声ガイド装置」という）が貸出されることがある。例えば、特許文献１参照。
【０００３】
近年では、貸出し専用の音声ガイド装置の代わりに、ユーザーが所有するスマートフォン（携帯端末の一例）を利用して音声ガイド情報を提供するサービスも実用化されている。かかるサービスでは、コード（ｃｏｄｅ）を利用して音声ガイド情報が提供される。当該コードは、例えばバーコードやＱＲコード（登録商標）であり、所要の代金を支払ったユーザーに供給される。ユーザーは、スマートフォンでコードを読み取ることにより、音声ガイド情報の提供を受けられる。
【０００４】
本考案者による特許文献２には、そのような音声ガイド情報の提供に係るコード（セキュリティコード）供給用の郵送可能な媒体が記載されている。郵送可能な媒体の例として、葉書や封書などの郵便物、封書に入れられる便箋やしおりなどが挙げられている。かかる媒体で供給されるコードはシール材によって被覆されており、正当なユーザーがシール材を剥がすことで利用可能となる。これにより郵送に起因した盗用や汚染を防いで、安全性を確保することができる。
【先行技術文献】
【特許文献】
【０００５】
【特許文献１】特開２００２−３１１９７８号公報
【特許文献２】実用新案登録第３１７９２４７号公報
【考案の概要】
【考案が解決しようとする課題】
【０００６】
本考案者は、昨今の活況なトレーディングカード市場に着目し、トレーディングカードの要素を備えたカード状物によってコードを供給することを考えた。例えば、コレクター欲を掻き立てる視覚要素が描かれていることにより、それを購入したユーザーは、音声ガイド情報の提供を受けられるだけでなく、それ自体をトレーディングカードとして楽しむことができるので、そこに付加価値が見出される。
【０００７】
しかし、上記の如きカード状物では、そこに描かれた視覚要素（例えば、人気キャラクターのイラスト）に加えてコードを付記しなければならない。そのため、音声ガイド情報の提供を受けた後の用済みのコードが目障りな存在となり、トレーディングカードとしての価値が損なわれているとユーザーが感じる恐れがある。
【０００８】
本考案は上記実情に鑑みてなされたものであり、その目的は、音声ガイド情報の提供に係るコードを供給可能で、しかもトレーディングカードとしての価値を損なわないカード状物を提供することにある。
【課題を解決するための手段】
【０００９】
本考案に係るカード状物は、カード状の本体と、前記本体の被着面に貼付されている貼付シートと、を備え、前記貼付シートが、携帯端末で読み取られることにより前記携帯端末で音声ガイド情報を出力可能となるコードが付記された第１の面と、前記被着面に接触する粘着剤層が積層されてなる第２の面とを有するものである。
【００１０】
かかるカード状物を入手したユーザーは、貼付シートの第１の面に付記されたコードを携帯端末で読み取ることにより、その携帯端末で音声ガイド情報を出力できる。また、音声ガイド情報の提供を受けた後は、貼付シートを本体から剥がすことによって、コードが目障りになることがない。したがって、本考案に係るカード状物は、音声ガイド情報の提供に係るコードを供給可能で、しかもトレーディングカードとしての価値を損なわないものとなる。
【００１１】
前記コードが二次元コードであることが好ましい。中でも、ＱＲコード（登録商標）が好ましく使用されるが、これに限られるものではない。
【００１２】
前記被着面に、前記粘着剤層が接触する接触領域と、前記粘着剤層が接触しない非接触領域とが設けられていることが好ましい。かかる構成によれば、本体から貼付シートを剥がしやすくなり、ユーザビリティが向上する。
【００１３】
前記被着面に描かれた視覚要素を覆うようにして前記貼付シートが貼付されていることが好ましい。かかる構成によれば、貼付シートを剥がすまで視覚要素が隠れているので、トレーディングカードとしての一種の射幸性を持たせることができる。
【図面の簡単な説明】
【００１４】
【図１】本考案に係るカード状物の一例を示す平面図
【図２】図１に示すカード状物の斜視図
【図３】音声ガイド情報の受信方法を例示した説明図
【図４】他の実施形態に係るカード状物を示す平面図
【考案を実施するための形態】
【００１５】
以下、本考案の実施の形態について図面を参照しながら説明する。
【００１６】
図１は、本実施形態のカード状物９を示す平面図である。カード状物９は、カード状の本体１と、その本体１の被着面１１に貼付されている貼付シート２とを備える。図２は、本体１から貼付シート２の一部を剥がした状態にあるカード状物９を示している。本実施形態では、貼付シート２が貼付される被着面１１を本体１の片面（図１，２において上方に向けられた面）に設定しているが、これに限られず、本体１の両面に被着面１１を設定してもよい。即ち、被着面１１は、本体１の少なくとも片面に設定される。
【００１７】
本体１は、樹脂フィルムで形成されているが、紙や金属など他の材料で形成されたものでもよい。防水加工や防汚加工、抗菌加工などを本体１に施してもよい。本体１の寸法は、特に限定されないが、一般的なトレーディングカードのサイズ（88mm×63mm又は86mm×59mm）、図書カードのサイズ（86mm×54mm）、Ｑｕｏカードサイズ（85mm×57mm）、或いはそれらに近いサイズであることが好ましい。本体１は、平面視において四角形状を有しているが、これに限定されない。
【００１８】
貼付シート２は、携帯端末で読み取られることにより当該携帯端末で音声ガイド情報を出力可能となるコード３が付記された第１の面２１と、被着面１１に接触する粘着剤層が積層されてなる第２の面２２とを有する。貼付シート２は、被着体としての本体１に貼付される粘着シート（シール）である。貼付シート２の基材は、紙で形成されているが、樹脂フィルムなど他の材料で形成されたものでもよい。貼付シート２は、熱や薬剤などによる処理を必要とせずに手で簡単に剥がすことができる。
【００１９】
第２の面２２を構成する粘着剤層は、貼付シート２を剥がしたときに本体１に糊残りが生じないよう、再剥離性粘着剤で形成されていることが好ましい。これによって、貼付シート２を剥がした後の被着面１１の状態が良好となり、後述する視覚要素６が損なわれる心配がない。再剥離性粘着剤としては、従来公知の市販品を特に制約なく使用でき、シリコーン系やポリエステル系、ウレタン系、アクリル系、ゴム系など各種の粘着剤を適用可能である。
【００２０】
図３に示すユーザー４は、美術館などの展示場を訪れている来客である。ユーザー４は、音声ガイド情報を利用するためのカード状物９（図１参照）を所有している。カード状物９は、入場チケットとして或いは入場チケットとは別途に、展示場やチケット販売店などでプリペイドカードとして購入できる。無論、他人が購入してユーザー４に進呈することも可能である。音声ガイド情報は、典型的には、その展示場での対象物（展示物）などについて紹介や説明を行う音声情報である。動画や静止画、テキストなどの画像情報が音声情報と組み合わされていてもよい。
【００２１】
カード状物９を入手したユーザー４には、音声ガイド情報の提供に係るコード３が供給されることになる。コード３は、貼付シート２に付記されているが、本体１には付記されていない。コード３は、バーコード（一次元コード）でもよいが、表示面積を小さくする観点から二次元コードであることが好ましい。中でも、利便性の高いＱＲコード（登録商標）が好ましく使用される。本実施形態では、コード３がＱＲコード（登録商標）である例を示す。
【００２２】
ユーザー４は、携帯端末であるスマートフォン４１を所有している。携帯端末は、タブレット端末や携帯電話、携帯ゲーム機など、ユーザー４が携帯可能な電子機器であればよい。携帯端末は、ユーザー４の所有物に限られず、貸出品でも構わない。但し、ユーザー４の所有物である場合には、自身が所有するスマートフォン４１を使って音声ガイド情報が得られるため衛生面での心配が少なく、感染症対策の観点からも望ましい。
【００２３】
図示は省略するが、スマートフォン４１は、コード３を読み取るコード読取部、読み取ったコード情報を送信する送信部、音声ガイド情報をダウンロードする受信部、読み取ったコード情報やダウンロードした音声ガイド情報を保存・処理する処理部、音声情報を音声出力する音声出力部、画像情報を画像出力する表示部、及び、後述する入力操作や選択操作を受け付ける操作部などを備える。
【００２４】
ユーザー４は、スマートフォン４１でコード３を読み取ることにより、そのスマートフォン４１で音声ガイド情報を出力できる。コード３の読み取りに加え、ユーザーＩＤやパスワードなどの入力操作を要求する仕様でも構わない。出力された音声ガイド情報は、スマートフォン４１のスピーカ（音声出力部）、或いは、スマートフォン４１と有線又は無線で接続されたイヤホンやウェアラブルデバイスなどで聴くことができる。
【００２５】
スマートフォン４１のコード読取部によってコード３が読み取られると、そのコード情報がスマートフォン４１の送信部から電気通信回線（図示せず）を介してサーバー５に送信される。サーバー５は、受信したコード情報に対応した音声ガイド情報を送信し、その音声ガイド情報が電気通信回線を介してスマートフォン４１で受信されダウンロードされる。このように、ユーザー４は、供給されたコード３の読み取りを行うことで音声ガイド情報を入手できる。尚、音声ガイド情報の受信方法や受信ルートは、特に限定されるものではない。
【００２６】
音声ガイド情報のダウンロードが完了すると、その旨がスマートフォン４１の表示部に表示されるとともに、出力する音声ガイド情報の選択操作に移行できるように表示が切り替わる。ユーザー４が操作部を介して任意の音声ガイド情報を選択すると、その音声ガイド情報がダウンロード再生（又はストリーミング再生）される。例えば、特定の対象物（展示物Ａ）に興味を抱いたユーザー４が、その対象物の音声ガイド情報を選択すると、それに関する音声情報（例えば、展示物Ａの音声解説）が音声出力部から出力されるとともに、その対象物の画像情報（例えば、展示物Ａの全体画像）が表示部に表示される。
【００２７】
このような音声ガイド情報を提供するシステムにおいては、著作権を保護する観点から、音声ガイド情報のコンテンツの複製を防止するコピー防止機能を搭載していることが好ましい。また、コンテンツの流出を抑止する観点から、所定の時間（任意で設定可）が経過した後は、その音声ガイド情報を出力できないようにする利用期限設定機能（出力制限機能）を搭載していることが好ましい。カード状物９（の本体１）は、音声ガイド情報を出力できなくなった後でも、後述するようにトレーディングカードとして楽しむことが可能である。
【００２８】
本実施形態では、図２のように本体１の被着面１１に視覚要素６が描かれている。視覚要素６は、イラスト、写真、文字、記号、又はそれらの組み合わせなどにより構成される。視覚要素６は、例えば、人気キャラクターのイラストであったり、展示物に関連した写真であったりする。これにより、ユーザー４は、カード状物９（の本体１）にトレーディングカード（コレクタブルカード、コレクションカード）としての価値を感じられる。したがって、カード状物９は、音声ガイド情報の提供に係るコード３を供給するための媒体としてだけでなく、トレーディングカードの要素も備える。
【００２９】
しかし、コードが本体１に付記されている場合、特にはコードが視覚要素６と並んで付記されている場合、音声ガイド情報の提供を受けた後の用済みのコードが目障りな存在となり、トレーディングカードとしての価値が損なわれているとユーザー４が感じる恐れがある。これに対して、本実施形態では、音声ガイド情報の提供を受けた後（提供を受ける前でも構わない）、貼付シート２を本体１から剥がすことにより、コード３が目障りになることがない。したがって、このカード状物９は、音声ガイド情報の提供に係るコード３を供給可能で、しかもトレーディングカードとしての価値を損なわないものとなる。
【００３０】
被着面１１には、ゴールドやシルバーなどの光沢感を与える箔押し加工や、光の反射で角度によって色が変化するホログラム加工などを施してもよい。本実施形態では、被着面１１に描かれた視覚要素６を覆うようにして貼付シート２が貼付されている。かかる構成によれば、貼付シート２を剥がすまで視覚要素６が隠れているので、トレーディングカードとしての一種の射幸性を持たせることができる。例えば、異なるキャラクターが描かれた複数種の本体１を用意しておき、貼付シート２を剥がすまで何れのキャラクターが現れるか分からない、という楽しみ方を提供することもできる。
【００３１】
被着面１１には、粘着剤層（即ち、第２の面２２）が接触する接触領域１１ａと、粘着剤層が接触しない非接触領域１１ｂとが設けられている。図２では、これらの境界を破線で示している。非接触領域１１ｂが設けられていることにより、本体１から貼付シート２を剥がしやすくなり、ユーザビリティが向上する。非接触領域１１ｂは、本実施形態では本体１の縁部に沿って環状に設けられているが、これに限られない。非接触領域１１ｂを設けるうえで、貼付シート２の面積は本体１の面積よりも小さいことが好ましい。
【００３２】
貼付シート２の形状は、特に限定されるものではないが、図１に示した形状の他、図４に示した形状が例示される。図４（Ａ）は、本体１の隅部の一箇所に非接触領域１１ｂを設け、残りを接触領域１１ａとした例である。図４（Ｂ）は、被着面１１の全面を接触領域１１ａとして非接触領域１１ｂを設けない例である。この例では、本体１から貼付シート２を剥がしやすくするために、貼付シート２にタブ２３を設けている。図４のカード状物９は、貼付シート２の形状を異ならせたこと以外、いずれも図１の例と同様に構成できる。
【００３３】
カード状物９を用いた音声ガイド情報の提供は、美術館などの各種展示場や観光名所に限らず、様々な場面で利用することが可能である。例えば、各種の講演会やレセプション、結婚式などの宴会において、その内容や会場の様子、或いは参加者のコメントなどを音声情報として提供することが考えられる。或いは、特定の関係者に向けて、特定の企業や商品に関する音声情報を提供することもできる。動画や静止画、テキストなどの画像情報を音声情報に組み合わせてもよいことは、既述の通りである。
【００３４】
本考案に係るカード状物は、上述した実施形態に何ら限定されるものではなく、本考案の趣旨を逸脱しない範囲内で種々の改良変更が可能である。
【符号の説明】
【００３５】
１      本体
２      貼付シート
３      コード
６      視覚要素
９      カード状物
１１    被着面
１１ａ  接触領域
１１ｂ  非接触領域
２１    第１の面
２２    第２の面
４１    スマートフォン（携帯端末の一例）
【図１】
0003233619.tif 000003
【図２】
0003233619.tif 000004
【図３】
0003233619.tif 000005
【図４】
0003233619.tif 000006